(57)【要約】      （修正有）【課題】ＣＤ容器において、ＣＤが収容されている間はこれを確実に保持し、一方、容器を開いたときはＣＤを容易に取り出すことができ、かつ、１個の容器に２枚のＣＤを収容できる上に、パンフレットを同封するのに好都合な構造のＣＤ容器を提供する。【解決手段】ポリプロピレンの射出成形により製造したＣＤ容器。背板１を挟んで表蓋２Ａ、裏蓋２Ｂをヒンジ結合とし、表蓋および裏蓋には、そのほぼ中央にＣＤ固定ボス３Ａおよび３ＢとＣＤの外周に沿う円周状の断続的な突条４Ａおよび４Ｂを設け、表蓋にはＣＤの端を係止するための鉤５１を有する係止片５を弾性的に立て、裏蓋には停止片６を立て、背板のほぼ中央に中央突起１１を突出させ、裏蓋にはさらにＬ字型のパンフレット受止具７１とパンフレット台７２の組を両側に設けるように構成する。【選択図】  図１
2006248583.tif 000002
【特許請求の範囲】
【請求項１】
背板（１）を介して開閉可能に接続された表蓋（２Ａ）および裏蓋（２Ｂ）から基本的になる、２枚のＣＤを収容するためのＣＤ容器であって、背板と表蓋および裏蓋との接続をヒンジ結合とし、表蓋および裏蓋はそれぞれ三方に側壁（２１Ａ〜２３Ａおよび２１Ｂ〜２３Ｂ）を有し、端の側壁（２２Ａおよび２２Ｂ）の中央部は閉じた容器を開くための手掛けを与える後退部（２４Ａおよび２４Ｂ）を形成しており、表蓋および裏蓋のほぼ中央には、ＣＤの中心孔と弾性的に嵌合してＣＤを固定するための、複数の放射状のスリットを有するＣＤ固定ボス（３Ａおよび３Ｂ）を設けるとともに、ＣＤの外周に沿う円周状の断続的な突条（４Ａおよび４Ｂ）を、背板に接する部分を除いて設け、表蓋の自由端の近くには、表蓋に収容するＣＤの端を係止するための、鉤（５１）を有する係止片（５）を弾性的に立て、裏蓋の自由端の近くには停止片（６）を立て、背板のほぼ中央には、容器を閉じたときに２枚のＣＤの端を受け止める中央突起（１１）を突出させ、裏蓋の自由端の側には、裏蓋に収容するＣＤの上にパンフレットを挟んで収容するための、Ｌ字型のパンフレット受止具（７１）とパンフレット台（７２）の組を両側に設け、表蓋および裏蓋のそれぞれ対応する位置に、係合する突出部（８１）と受入部（８２）との組を設けてなり、容器を閉鎖したときに、突出部と受入部との係合により閉鎖状態が保たれるとともに、裏蓋から立てた停止片が表蓋から立てた係止片の背後に入って、係止片の後方への変形を妨げるように構成したＣＤ容器。
【請求項２】
容器全体をポリプロピレンの射出成形により製造した請求項１のＣＤ容器。
【請求項３】
表蓋（２Ａ）および裏蓋（３Ａ）の外側において、背板と接続する縁以外の三方の縁を突出させて突条（２５Ａおよび２５Ｂ）、その内側に、透明なプラスチックフィルムからなる表紙カバー（９）を両端だけ融着して有する請求項１のＣＤ容器。
【発明の詳細な説明】
【技術分野】
【０００１】
本発明は、ＣＤ容器の改良に関し、被包装物であるＣＤを容器内に収容したときは確実にこれを固定して保護し、容器を開いたときは容易にこれを取り出すことができる容器を提供する。この容器は、２枚のＣＤを収容することができる。ここで、「ＣＤ」の語は、ＤＶＤやＭＤを含めた、ＣＤと同一または類似の形状のものを代表する。
【背景技術】
【０００２】
ＣＤやＭＤ、あるいはＤＶＤのような光学情報メディアを輸送・保管するために使用する容器は、ディスクをそのまま、またはアクリルケースに入れた形で、１枚または複数枚を収容するものである。ディスクをそのまま収容するものは、一般に容器内におけるディスク位置の固定が不充分であり、容器の取り扱いによっては内部でディスクが動いて容器にぶつかったり、あるいはディスク相互が接触したりして、損傷を受けることがある。アクリルケースに入れた形で収容するものは、ディスクの保護という観点からは比較的安心であるが、それでもケースそのものが固定されていなければ、やはり容器内部でケースごと動いて、ケースが開いたりしてディスクが損傷を受ける危険はなくならない。
【０００３】
しかし、容器内部でディスクなり、アクリルケースなりをしっかり固定してしまうと、今度は、容器を開いて被包装物を取り出すときに面倒である。そこで、ＣＤが収容されている間はこれを確実に固定して保持していて、容器を激しく動かしたりしても被包装物が内部で動揺したり移動したりすることがなく、一方、容器を開いてＣＤを取り出すときは、その固定が外れて、容易に取り出すことができるような包装容器が求められてきた。
【０００４】
このような要望に応える努力として、従来のアクリルケース型の収納カセットにおいて、三方からＣＤを保持する保持素子を設けてそのうちの開閉軸寄りのものを弾性保持素子とし、蓋を閉めたときに蓋の係止素子が弾性保持素子に係合してその動きを規制するものが提案された（特許文献１）。それと同様に円周上の３個の爪を有し、ＣＤ中央の孔に挿入するボス部と協働させる保持装置も開示されたが（特許文献２）、これはＣＤそのものが露出しているので、容器としてのはたらきはない。
【０００５】
発明者は、浅い箱形の表板と裏板とがいずれもヒンジ結合で中間板に接続されている形の包装容器であって、ヒンジ寄りの部分にＣＤの端を抑える鉤型の係止片を設け、容器を閉じたときに、中間板に設けた突起がこの係止片を後方から押して変形させることによりＣＤの固定を確実にし、開いたときはその固定が外れるように構成した包装容器を共同発明者とともに開発し、すでに提案した（特許文献３）。
【特許文献１】特開昭６４−８４８８４
【特許文献２】実開平６−５７８８５
【特許文献３】特開２００１−１９２０３５
【０００６】
既知のＣＤ容器は、いずれも１枚のＣＤを収容することを意図したものであって、ひとつの容器に２枚のＣＤを収容できるようにして、効率を高めたいという要望に応えられない。さらに、ＣＤ容器には、収容したＣＤに関連する解説書などのパンフレットを同封したいことが多いが、従来のＣＤ容器は、そのような要望に対して配慮したものではない。
【発明の開示】
【発明が解決しようとする課題】
【０００７】
本発明の目的は、ＣＤが収容されている間はこれを確実に保持し、一方、容器を開いたときは、ＣＤを容易に取り出すことができる、という包装容器本来の機能を十分に有する上で、１個の容器に２枚のＣＤを収容でき、かつ、パンフレットを同封するのに好都合な構造のＣＤ容器を提供することにある。
【課題を解決するための手段】
【０００８】
上記の目的を達成する本発明のＣＤ容器は、代表例を図１および図２に示すように、背板（１）を介して開閉可能に接続された表蓋（２Ａ）および裏蓋（２Ｂ）から基本的になる、２枚のＣＤを収容するためのＣＤ容器であって、背板と表蓋および裏蓋との接続をヒンジ結合とし、表蓋および裏蓋はそれぞれ三方に側壁（２１Ａ，２２Ａ，２３Ａおよび２１Ｂ，２２Ｂ，２３Ｂ）を有し、端の側壁（２２Ａおよび２２Ｂ）の中央部は閉じた容器を開くための手掛けを与える後退部（２４Ａおよび２４Ｂ）を形成しており、表蓋および裏蓋のほぼ中央には、ＣＤの中心孔と弾性的に嵌合してＣＤを固定するための、複数の放射状のスリットを有するＣＤ固定ボス（３Ａおよび３Ｂ）を設けるとともに、ＣＤの外周に沿う円周状の断続的な突条（２５Ａおよび２５Ｂ）を、背板に接する部分を除いて設け、表蓋の自由端の近くには、表蓋に収容するＣＤの端を係止するための、鉤（５１）を有する係止片（５）を弾性的に立て、裏蓋の自由端の近くには停止片（６）を立て、背板のほぼ中央には、容器を閉じたときに２枚のＣＤの端を受け止める中央突起（１１）を突出させ、裏蓋の自由端の側には、裏蓋に収容するＣＤの上にパンフレットを挟んで収容するための、Ｌ字型のパンフレット受止具（７１）とパンフレット台（７２）の組を両側に設け、表蓋および裏蓋のそれぞれ対応する位置に、係合する突出部（８１）と受入部（８２）との組を設けてなり、容器を閉鎖したときに、突出部と受入部との係合により閉鎖状態が保たれるとともに、裏蓋から立てた停止片が表蓋から立てた係止片の背後に入って、その後方への変形を妨げるように構成したＣＤ容器である。
【発明の効果】
【０００９】
本発明のＣＤ容器は、表蓋（２Ａ）の側にＣＤを収容するときは、表蓋のＣＤ固定ボス（３Ａ）にＣＤの中心孔をはめ込む間、弾性のある係止片（５）は後方に倒れてＣＤの端を受け入れ、嵌め込んだ後は元の位置に復帰し、鉤（５１）が端を抑えて、移動および脱落を防ぐ。ＣＤの周辺は、突条（４Ａ）により規制および保護される。裏蓋（２Ｂ）の側に収容されたＣＤは、裏蓋のＣＤ固定ボス（３Ｂ）に嵌め込まれ、突条（４Ｂ）により規制され、保護されるだけであるが、その上にパンフレットなどを、図３に詳細を示したパンフレット受止具（７１）とパンフレット台（７２）の組で挟んで収容するときは、パンフレットによりＣＤの脱落が防止される。容器を閉じると、図５に示した表蓋の突出部（８１）と図５に示した裏蓋の受入部（８２）との組が、図６に示すように係合し、閉鎖状態が保たれる。同時に、裏蓋の停止片（６）が表蓋の係止片（５）の背後に入り込み、係止片が後方に倒れる変形を妨げる。閉鎖した状態では、背板（１）の中央突起（１１）が、２枚のＣＤの背板寄りの端に近接して位置し、その方向へのＣＤの変位を阻止する。
【００１０】
ＣＤ容器を開いてＣＤを取り出すときは、表蓋および裏蓋の側壁（２２Ａおよび２２Ｂ）に設けた後退部（２４Ａおよび２４Ｂ）が与える手掛けにより蓋を開けば、中央突起による制約はなくなっているから、断続的な突条（４Ａおよび４Ｂ）がない部分でＣＤの周辺をもち、ＣＤ固定ボス（３Ａおよび３Ｂ）から引き離すことができる。このようにして、閉鎖状態ではＣＤの保持が確実になる一方、開放状態ではＣＤの取り出しが容易であり、２枚のＣＤを収容することができるＣＤ容器が実現する。
【発明を実施するための最良の形態】
【００１１】
本発明のＣＤ容器を製造する材料は、任意に選択することができるが、ヒンジ結合が耐久性を示す材料として知られる、ポリプロピレンが最も有力である。ポリプロピレンは加工性にすぐれたプラスチックであるから、ＣＤ容器全体をポリプロピレンの射出成形により製造することが有利である。
【００１２】
この種のＣＤ容器においては、内容物を表示したり、または装飾したりすることを目的として、表紙をもたせることが望まれる。表紙は、容器の本体をなす表蓋−背板−裏蓋にまたがって貼り付けることによってももたせることができるが、容易に理解されるように、それでは容器の開閉によってすぐ表紙が損傷するから、容器の本体とは独立に存在させることが好ましい。それには、図７および図８に示すように、表蓋（２Ａ）および裏蓋（２Ｂ）の外側において、背板と接続する縁以外の三方の縁を突出させて突条（２５Ａおよび２５Ｂ）とし、その内側に形成される凹んだ面に、透明なプラスチックフィルムからなる表紙カバー（９）を、融着部（９Ａおよび９Ｂ）により両端だけ融着して設けることが推奨される。
【図面の簡単な説明】
【００１３】
【図１】本発明のＣＤ容器の一例を示す、空の状態の展開図。
【図２】図１のＣＤ容器のＡ−Ａ断面図。
【図３】図１のＣＤ容器のＢ−Ｂ断面図。
【図４】図１のＣＤ容器のＣ−Ｃ拡大断面図。
【図５】図１のＣＤ容器のＤ−Ｄ拡大断面図。
【図６】図１のＣＤ容器にＣＤを収容して閉じた状態を示す、Ａ−Ａ位置の拡大断面図。
【図７】本発明のＣＤ容器の好ましい態様を示す、外側からみた展開図。
【図８】図７の矢視方向の端面図。
【符号の説明】
【００１４】
１  背板
１１  中央突起
２Ａ  表蓋
２１Ａ，２２Ａ，２３Ａ  側壁    ２４Ａ  後退部    ２５Ａ  突条
２Ｂ  裏蓋
２１Ｂ，２２Ｂ，２３Ｂ  側壁    ２４Ｂ  後退部    ２５Ｂ  突条
３Ａ，３Ｂ  ＣＤ固定ボス
４Ａ，４Ｂ  断続的な突条
５  係止片
５１  鉤
６  停止片
７１  パンフレット受止具
７２  パンフレット台
８１  突出部
８２  受入部
９  表紙カバー
９Ａ，９Ｂ  融着部
【図１】
2006248583.tif 000003
【図２】
2006248583.tif 000004
【図３】
2006248583.tif 000005
【図４】
2006248583.tif 000006
【図５】
2006248583.tif 000007
【図６】
2006248583.tif 000008
【図７】
2006248583.tif 000009
【図８】
2006248583.tif 000010